(57)【要約】      （修正有）【課題】カニューレ型人工骨を保護しつつ，ガイドワイヤを用いた手術の効率化を図る。【解決手段】人工骨及び収納容器のセット製品であって，ガイドワイヤ３００を挿通可能な貫通孔が形成された人工骨２００と，ガイドワイヤが挿通した状態の人工骨２００を収納可能な開閉自在の収納容器１００とを備える。【選択図】図１
2020028700.tif 000002
【特許請求の範囲】
【請求項１】
ガイドワイヤが挿通した状態の人工骨を収納可能な本体部と，
前記ガイドワイヤに沿った前記本体部の摺動を制止するための制動部を備える
人工骨の収納容器。
【請求項２】
前記制動部は，前記ガイドワイヤの表面に圧接する羽根部を含む
請求項１に記載の収納容器。
【請求項３】
前記制動部は，前記本体部の摺動を制止させる状態と前記本体部の摺動を許容する状態とを遷移可能に構成されている
請求項１又は請求項２に記載の収納容器。
【請求項４】
前記本体部は，複数の分割体から構成され，各分割体を係合させることにより前記人工骨の収容空間が形成されるものであり，
前記制動部は，各分割体を係合させた状態においては前記本体部の摺動を制止させ，各分割体を展開した状態においては前記本体部の摺動を許容する
請求項１から請求項３のいずれかに記載の収納容器。
【請求項５】
前記制動部は，前記ガイドワイヤの表面に圧接する羽根部を含み，
前記羽根部は，前記複数の分割体のそれぞれに設けられている
請求項４に記載の収納容器。
【請求項６】
請求項１から請求項５のいずれかに記載の収納容器と，
ガイドワイヤを挿通可能な貫通孔を有する人工骨を含む
人工骨入り収納容器。
【発明の詳細な説明】
【技術分野】
【０００１】
本発明は，人工骨の収納容器に関する。具体的に説明すると，本発明は，ガイドワイヤを挿入可能な筒状の人工骨を収納するのに適した収納容器に関するものである。
【背景技術】
【０００２】
近年の傾向として，治療部分の皮膚切開部（皮切部）を小さくすることで低侵襲を目指す手術が多くみられる。その一種としてガイドワイヤを用いた手術が行われている。ガイドワイヤを用いることで皮切部を最小限に留めつつ，目的部位の治療を行なうことができる。
【０００３】
また，従来から，ガイドワイヤを挿通するための貫通孔が設けられたカニューレ型人工骨が知られている（特許文献１）。皮膚を切開した後に，Ｘ線透視下においてガイドワイヤの一端を治療の目的部位まで挿入し，ガイドワイヤの他端をカニューレ型人工骨の貫通孔に挿入する。そして，人工骨をガイドワイヤの軸方向に沿って摺動させることにより，治療の目的部位まで人工骨を導入することができる。
【０００４】
また，カニューレ型人工骨ではないが，円柱状等の中実体である人工骨の収納容器も提案されている（特許文献２）。特許文献２に記載の収納容器は，人工骨を保管する本体部（保管部）と，この本体部で人工骨を保管する状態を保持するヒンジ部（保持部）とを有している。この収納容器では，ヒンジ部による本体部の展開により本体部から人工骨が離脱するよう構成されている。
【先行技術文献】
【特許文献】
【０００５】
【特許文献１】国際公開ＷＯ２００６／０２０４６３号パンフレット
【特許文献２】特開２０１４−２００５２５号公報
【発明の概要】
【発明が解決しようとする課題】
【０００６】
ところで，カニューレ型人工骨は割れやすく，また滅菌製品であることから，生体内に導入される直前まで容器に収納された状態とし，外部からの衝撃や雑菌から保護することが求められる。このため，人工骨を収納容器内に収納して保護した状態のまま，人工骨の貫通孔にガイドワイヤを挿入可能であることが望ましい。この点，例えば特許文献２に記載の収納容器には本体部の前後両端に開口が設けられているため，カニューレ型人工骨を収納容器内に保管した状態のまま，その貫通孔にガイドワイヤに挿入することも可能であると考えられる。
【０００７】
しかしながら，収納容器内の人工骨にガイドワイヤを挿通した場合，収納容器とガイドワイヤの接触部の摩擦係数が小さいため，収納容器がその自重によりガイドワイヤの軸線上を摺動し，術者の意に反して収納容器の位置がずれてしまうおそれがある。例えば，準備が整う前に人工骨がガイドワイヤに沿って生体内に侵入したり，人工骨を収納した容器が生体内に侵入したりする事態も想定され，重大な医療ミスに繋がる可能性がある。このため，術者は収納容器内の人工骨にガイドワイヤを挿入した後も，この収納容器を手で保持しながら収納容器がガイドワイヤの軸線上を勝手に移動することを防がなければならず，手術に支障を来すという問題があった。
【０００８】
そこで，本発明は，カニューレ型人工骨を保護しつつ，ガイドワイヤを用いた手術の障害となりにくい人工骨の収納容器を提供することを目的とする。
【課題を解決するための手段】
【０００９】
本発明の発明者は，従来技術が抱える課題の解決手段について鋭意検討した結果，人工骨の収納容器にガイドワイヤの軸線上に沿った摺動を制止するための制動機構を設けることにより，ガイドワイヤに挿通された人工骨を適切に保護すると同時に，手術の障害になることを回避できるという知見を得た。そして，本発明者は，上記知見に基づけば従来技術の課題を解決できることに想到し，本発明を完成させた。具体的に説明すると，本発明は以下の構成を有する。
【００１０】
本発明の第１の側面は，人工骨の収納容器に関する。具体的には，本発明は，ガイドワイヤを挿通するための貫通孔を持つカニューレ型人工骨の収納容器である。本発明に係る収納容器は，本体部と制動部とを備える。本体部は，ガイドワイヤが挿通した状態の人工骨を収納可能な空間を有する。制動部は，ガイドワイヤに沿った本体部の自重による摺動を制止するための手段を有する。このように，収納容器によってガイドワイヤに挿通された状態の人工骨を保護することで，生体内に導入される直前まで人工骨を外部の衝撃や雑菌から保護することができる。さらに，収納容器に制動部を設けておくことで，収納容器及び人工骨がそれらの自重によって，術者の意に反してガイドワイヤの軸線上を摺動する事態を回避することができる。これにより，術者は収納容器を手で抑えておく必要がなくなるため，両手を自由に使用することが可能になり，作業効率の向上に繋がる。
【００１１】
本発明に係る収納容器において，制動部は，ガイドワイヤの表面に圧接する羽根部を含むことが好ましい。このように，ガイドワイヤを挟み込むための羽根部を設けることで，この羽根部とガイドワイヤ表面の摩擦係数が大きくなるため，簡単な構成で本体部の摺動を制止することができる。例えば，収納容器全体あるいは少なくとも羽根部をプラスチックやゴムなどの可撓性材料で構成することも有益である。
【００１２】
本発明に係る収納容器において，制動部は，本体部の摺動を制止させる状態（第１状態）と本体部の摺動を許容する状態（第２状態）とを遷移可能に構成されていることが好ましい。これにより，術者が手術の状況に応じて自由にガイドワイヤ上における収納容器の位置を変えることができるようになる。
【００１３】
本発明に係る収納容器において，本体部は，複数の分割体から構成され，各分割体を係合させることにより人工骨の収容空間が形成されるものであることが好ましい。各分割体を展開することにより，本体部の収納空間から人工骨が解放されて，人工骨のみがガイドワイヤの軸線上を摺動するようになる。このため，術者が任意のタイミングで各分割体の係合状態を解除して，人工骨を生体内に導入できるようになる。また，制動部は，各分割体を係合させた状態においては本体部の摺動を制止させ，各分割体を展開した状態においては本体部の摺動を許容することが好ましい。これにより，術者は人工骨から収納容器を取り外す操作と人工骨をガイドワイヤに沿って摺動させる操作を一つの操作で行なうことができる。
【００１４】
本発明に係る収納容器において，制動部は，ガイドワイヤの表面に圧接する羽根部を含み，羽根部は，分割体のそれぞれに設けられていることが好ましい。これにより，各分割体を係合させた状態において，各羽根部がガイドワイヤ表面に圧接するようになる。また，各分割体を展開することで各羽根部の圧接状態が解除されるため，簡単な操作で本体部内の人工骨をガイドワイヤに沿って摺動させることができる。
【００１５】
本発明の第２の側面は，人工骨入りの収納容器に関する。すなわち，第２の側面は，人工骨と収納容器とがセットになった製品である。収納容器は，前述した第１の側面に係るものである。人工骨は，ガイドワイヤを挿通可能な貫通孔を有する。人工骨を収納容器に収納した状態で販売することで，術者が収納容器内に人工骨を収納する操作を省略できる。また，販売流通時から生体内導入直前まで収納容器によって人工骨を適切に保護できる。このように，収納容器によりカニューレ型人工骨の付加価値を高めることができる。
【発明の効果】
【００１６】
本発明に係る収納容器によれば，カニューレ型人工骨を保護しつつ，ガイドワイヤを用いた手術の効率化を図ることができる。
【図面の簡単な説明】
【００１７】
【図１】図１は，人工骨と収納容器にガイドワイヤを挿通した様子を示す斜視図であり，収納容器を開いた状態を示している。
【図２】図２は，人工骨と収納容器にガイドワイヤを挿通した様子を示す斜視図であり，収納容器を閉じた状態を示している。
【図３】図３は，開いた状態の収納容器の内側を示した斜視図である。
【図４】図４は，開いた状態の収納容器の外側を示した斜視図である。
【図５】図５（ａ）は，人工骨を収納容器内に収納した状態を示す断面図であり，図５（ｂ）は，人工骨を収納した収納容器にガイドワイヤを挿通した状態を示す断面図である。図５（ａ）と図５（ｂ）では，主に制動部（羽根部）の形状変化を図示している。
【発明を実施するための形態】
【００１８】
以下，図面を用いて本発明を実施するための形態について説明する。本発明は，以下に説明する形態に限定されるものではなく，以下の形態から当業者が自明な範囲で適宜変更したものも含む。
【００１９】
図１及び図２は，収納容器１００，人工骨２００，及びガイドワイヤ３００を含む医療システムを示しており，図３及び図４は，収納容器１００のみを示している。特に，図１は，収納容器１００を展開した状態を示し，図２は，収納容器１００を閉じてその内部に人工骨２００を収納した状態を示している。
【００２０】
図１に示されるように，人工骨２００には貫通孔が形成されており，その貫通孔にガイドワイヤ３００が挿通される。人工骨２００は，ガイドワイヤ３００を挿通可能な貫通孔を有するものであれば特に限定されないが，図１に示されるような円筒状であることが好ましい。ただし，人工骨は，その他の筒状（三角筒状，四角筒状，多角筒状）であってもよいし，所定の立体形状に貫通孔が形成されたものであってもよい。また，人工骨２００には貫通孔が一箇所だけでなく，複数箇所形成されていてもよい。
【００２１】
人工骨２００は，公知の生体適合性を有する材料，より具体的には生体骨に対して好適な適合性を示す材料によって形成することができる。人工骨２００の材質は，例えば，セラミックスであれば，リン酸カルシウム化合物のハイドロキシアパタイト又はβ−リン酸三カルシウム（β−ＴＣＰ），あるいは両者の混合物を採用することができる。また，人工骨２００を樹脂で製作する場合は，ＰＥＥＫ（ポリエーテルエーテルケトン）等の生体適合性のある材質を採用することが好ましい。金属であればチタン，チタン合金，またはポーラスチタン部材が好ましい。
【００２２】
ガイドワイヤ３００は，公知のものを用いればよい。例えば，ガイドワイヤ３００は，管状の外シャフトに内シャフトを内挿した二重管構造を持つ。内シャフトと外シャフトは，生体内で湾曲可能な特性を有するものとして公知の材質で形成される。例えば，ガイドワイヤ３００を構成する材料は，ポリアミド，塩化ビニル，ポリウレタン，ポリイミド，ポリエチレン，ポリエステルエラストマー，ポリプロピレン，ポリテトラフルオロエチレン，ポリエーテルエーテルケトン，ポリフッ化ビニリデン等の合成樹脂材料や，ステンレス鋼，ニッケル−チタン合金等の金属材料，あるいはこれらの組み合わせたものを用いればよい。
【００２３】
収納容器１００は，人工骨２００を収納するための容器であり，人工骨２００を内部に収容した状態のまま，人工骨２００の貫通孔にガイドワイヤ３００を挿通することのできる構成を有している。つまり，収納容器１００は，人工骨２００の貫通孔とほぼ同位置にガイドワイヤ３００を差し込むための開口を有する。このため，収納容器１００内に人工骨２００を収納した後，人工骨２００を収納容器１００から取り出さなくてもその貫通孔にガイドワイヤ３００を差し込むことができる。例えば，収納容器１００と人工骨２００をセットにした製品を販売する場合に，人工骨２００は流通時から生体内に導入する直前まで収納容器１００に収納しておくことが可能である。
【００２４】
収納容器１００の材質は特に制限されないが，ポリエチレン，ポリプロピレン，ポリ塩化ビニル，ポリスチレン，ポリ酢酸ビニル，ポリウレタンなどのプラスチック製とすればよい。ただし，収納容器１００は，プラスチック製のものに限らず，例えば金属製やガラス製，カーボン製とすることもできる。
【００２５】
図１から図４に示されるように，収納容器１００は，主に，人工骨２００の収納空間を持つ本体部１０と，この本体部１０がガイドワイヤ３００の軸線上に沿って摺動することを制止するための制動部２０とを備えている。収納容器１００に制動部２０が設けられていない場合，収納容器１００内に収納された人工骨２００にガイドワイヤ３００を挿通させると，収納容器１００と人工骨２００がそれらの自重でガイドワイヤ３００に沿って摺動することになるが，収納容器１００に制動部２０を設けておくことで，人工骨２００が収納容器１００によってガイドワイヤ３００上の任意の位置に固定され，不用意にガイドワイヤ３００の軸線上を移動してしまう事態を防ぐことができる。
【００２６】
収納容器１００の本体部１０の形状は，収納対象となる人工骨２００の形状に合わせて適宜設計すればよい。例えば，図１から図４に示された実施形態では，円筒状の人工骨２００を収納することを想定しているため，本体部１００の収納空間も人工骨２００を収納可能な円柱状に設計されている。
【００２７】
具体的に説明すると，本実施形態において，本体部１０は，第１分割部１１と第２分割部１２に分割されており，これらの分割部１１，１２がヒンジ部１３によって開閉自在に連結されている。第１分割部１１と第２分割部１２をヒンジ部１３を介して閉じることで人工骨２００の収納空間が形成されることになるが，これらの分割部１１，１２を展開することでその収納空間が開放されて人工骨２００を取り出すことができるようになる。また，各分割部１１，１２のそれぞれには，ガイドワイヤ３００の軸線上の前後両端部に切欠き１１ａ，１１ｂ，１２ａ，１２ｂが形成されている。各切欠き１１ａ，１１ｂ，１２ａ，１２ｂは半円形であり，第１分割部１１の切欠き１１ａ，１１ｂと第２分割部１２の切欠き１２ａ，１２ｂを合わせるとガイドワイヤ３００を挿通可能な円形の開口となる。これにより，収納容器１００の本体部１０内に人工骨２００を収納した状態のままで，これらの収納容器１００と人工骨２００とを貫通するようにガイドワイヤ３００を差し込むことができる。
【００２８】
また，本体部１０を構成する第１分割部１１と第２分割部１２には，それぞれ係止片１４，１５が設けられている。図１及び図２に示されるように，第１分割部１１に突設された第１係止片１４の先端部と第２分割部１２に突設された第２係止片１５の先端部とを突き合わせた後，それらの先端部を弾性変形させて，両先端部の位置を入れ替えることで，これらの係止片１４，１５が係合する。これにより，第１分割部１１と第２分割部１２の嵌合状態が維持される。反対に，第１分割部１１と第２分割部１２との嵌合状態を解除する際には，第１係止片１４の先端部と第２係止片１５の先端部とを再び弾性変形させて，両先端部の位置を逆方向に入れ替えればよい。このようにすれば，収納容器１００の本体部１０の開閉操作を片手で行なうことができる。
【００２９】
なお，本実施形態は，収納容器１００の本体部１０は，第１分割部１１と第２分割部１２とに２分割されているが，３分割あるいは４分割以上とされていてもよい。収納容器１００を３分割以上する場合であっても，複数の分割体を嵌合させることで人工骨２００の収納空間が形成されるように構成されていれば問題はない。
【００３０】
収納容器１００の制動部２０は，本体部１０の摺動を制止して，ガイドワイヤ３００上の任意位置に本体部１０を保持する機能を持つ。図１から図５に示した実施形態において，制動部２０は，本体部１０に突設された一対の羽根部２１，２２によって構成されている。各羽根部２１，２２は，ガイドワイヤ３００の外表面に圧接されて，ガイドワイヤを挟み込む。これにより，羽根部２１，２２とガイドワイヤ３００の摩擦係数が大きくなるため，羽根部２１，２２の作用により本体部１０の摺動が制止される。
【００３１】
本実施形態では，ガイドワイヤ３００の軸線方向において，第１分割部１１と第２分割部１２の一端から突出するように，それぞれ第１羽根部２１と第２羽根部２２が設けられている。各羽根部２１，２２は，第１分割部１１と第２分割部１２とをヒンジ部１３を介して閉じたときに，それらの先端部がガイドワイヤ３００の表面に接触する形状に構成されている。また，各羽根部２１，２２の先端部には，ガイドワイヤ３００の周面形状に適合するように半円形状の切欠き２１ａ，２２ａが形成されている。このため，第１分割部１１と第２分割部１２を閉じると，第１羽根部２１の切欠き２１ａと第２羽根部２２の切欠き２２ａにガイドワイヤ３００が嵌まり込み，ガイドワイヤ３００が各羽根部２１，２２に接触することとなる。特に，第１分割部１１と第２分割部１２を閉じた状態において，第１羽根部２１と第２羽根部２２は互いに反対方向からガイドワイヤ３００を押圧する。すなわち，第１羽根部２１と第２羽根部２２によってガイドワイヤ３００を挟み込むこととなる。なお，図示は省略するが，第１分割部１１と第２分割部１２の両端に羽根部を設けることも可能である。
【００３２】
具体的に説明すると，図５には，収納容器１００，人工骨２００，及びガイドワイヤ３００の断面図が模式的に示されている。図５に示されるように，ガイドワイヤ３００の直径をφとし，ガイドワイヤ３００の接触点における各羽根部２１，２２の間隙距離（具体的には切欠き２１ａ，２２ａの最深点間の距離）をＤとすると，各羽根部２１，２２の間隙距離Ｄはガイドワイヤ３００の直径φよりも小さい値に設計される（Ｄ＜φ）。例えば，ガイドワイヤ３００の直径φは２〜５ｍｍであることが一般的である。各羽根部２１，２２の間隙距離Ｄは，この直径φに対して２０〜９０％又は３０〜８０％の値に設定すればよい。このようにすることで，図５（ｂ）示されるように，収納容器１００内にガイドワイヤ３００を差し込むと，各羽根部２１，２２が弾性変形し，その復元力によって各羽根部２１，２２がガイドワイヤ３００の表面に圧接する（なお，図示した例では図中の左側から右側に向かってガイドワイヤ３００が差し込まれている）。これにより，各羽根部２１，２２の先端部とガイドワイヤ３００の表面との摩擦係数が大きくなり，収納容器１００と人工骨２００がそれらの自重によってガイドワイヤ３００の軸線上を摺動することが阻止される。
【００３３】
続いて，上記収納容器１００，人工骨２００，及びガイドワイヤ３００を含む医療システムを用いた手術順序について簡単に説明する。前述のとおり中空形状の人工骨２００は割れやすいものであるため，生体内に導入される直前まで収納容器１００内に収納された状態とし，外部からの不要な衝撃による裂損から保護しておく。まず，患者の皮膚を切開し，切開部位からガイドワイヤ３００の一端を体内に導入して留置する。次に，ガイドワイヤ３００の他端を人工骨２００の貫通孔の位置に合わせて，その貫通孔の内部にガイドワイヤ３００の端部を挿入する。このとき，人工骨２００は収納容器１００に収納されたままの状態であるため，術者は人工骨２００に直接指を触れずに補填作業を行なうことができる。また，収納容器１００には人工骨２００の貫通孔に対応した位置に開口が設けられているため，人工骨２００を収納容器１００に収納した状態のままガイドワイヤ３００を貫通させることができる。また，人工骨２００が収納された収納容器１００がガイドワイヤ３００上を自重で移動しない構造となっているため，術者は手術の進行に合わせてガイドワイヤ３００上の任意の位置に収納容器１００を保持することができる。ガイドワイヤ３００を人工骨２００に貫通させた後，術者が目論む位置で片手作業で収納容器１００の固定機能を解除し，収納容器１００から人工骨２００を離脱させる。すると，人工骨２００のみがガイドワイヤ３００に沿った摺動を開始し，ガイドワイヤ３００に案内されるかたちで切開部位から生体内に導入される。このように，本医療システムによれば，人工骨３００を外部の衝撃や雑菌から保護しつつ，安全に生体内へと導くことができる。
【００３４】
なお，本発明において，収納容器１００の制動部２０は上記した羽根部２１，２２に限定されるものではなく，本体部１０の摺動を制止する機能を果たすものであれば様々な構造を採用し得る。例えば，制動部２０としては，容器本体１０から延出しガイドワイヤ３００に繋止可能な紐状部材や，容器本体１０に突設されガイドワイヤ３００を挟み込むためのクリップ部材，容器本体１０をガイドワイヤ３０に止め付けるための粘着部材（粘着テープ等），容器本体１０とガイドワイヤ３０の隙間に設けられゴムなどの高摩擦材料で形成されたパッキン部材など，様々な態様のものを採用することができる。
【００３５】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００３６】
本発明は，人工骨の収納容器などに関する。従って，本発明は医療産業において好適に利用し得る。
【符号の説明】
【００３７】
１０…本体部                  １１…第１分割体
１１ａ，１１ｂ…切欠き        １２…第２分割体
１２ａ，１２ｂ…切欠き        １３…ヒンジ部
１４…第１係止片              １５…第２係止片
２０…制動部                  ２１…第１羽根部
２１ａ…切欠き                ２２…第２羽根部
２２ａ…切欠き                １００…収納容器
２００…人工骨                ３００…ガイドワイヤ
【図１】
2020028700.tif 000003
【図２】
2020028700.tif 000004
【図３】
2020028700.tif 000005
【図４】
2020028700.tif 000006
【図５】
2020028700.tif 000007
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
ガイドワイヤを挿通可能な貫通孔が形成された人工骨と，
前記ガイドワイヤが挿通した状態の前記人工骨を収納可能な開閉自在の収納容器とを備える
人工骨及び収納容器のセット製品。
【請求項２】
前記収納容器は，複数の分割体から構成された本体部を有し，前記分割体を係合させることにより前記人工骨の収容空間が形成される
請求項１に記載のセット製品。
【請求項３】
前記収納容器は，前記ガイドワイヤを挿通可能な開口を有し，
前記開口の直径は，前記人工骨の貫通孔のよりも大きい
請求項１又は請求項２に記載のセット製品。
【手続補正２】
【補正対象書類名】明細書
【補正対象項目名】全文
【補正方法】変更
【補正の内容】
【発明の詳細な説明】
【技術分野】
【０００１】
本発明は，人工骨と収納容器のセット製品に関する。具体的に説明すると，本発明は，ガイドワイヤを挿入可能な筒状の人工骨と，それを収納するのに適した収納容器とを備えるセット製品に関するものである。
【背景技術】
【０００２】
近年の傾向として，治療部分の皮膚切開部（皮切部）を小さくすることで低侵襲を目指す手術が多くみられる。その一種としてガイドワイヤを用いた手術が行われている。ガイドワイヤを用いることで皮切部を最小限に留めつつ，目的部位の治療を行なうことができる。
【０００３】
また，従来から，ガイドワイヤを挿通するための貫通孔が設けられたカニューレ型人工骨が知られている（特許文献１）。皮膚を切開した後に，Ｘ線透視下においてガイドワイヤの一端を治療の目的部位まで挿入し，ガイドワイヤの他端をカニューレ型人工骨の貫通孔に挿入する。そして，人工骨をガイドワイヤの軸方向に沿って摺動させることにより，治療の目的部位まで人工骨を導入することができる。
【先行技術文献】
【特許文献】
【０００４】
【特許文献１】国際公開ＷＯ２００６／０２０４６３号パンフレット
【発明の概要】
【発明が解決しようとする課題】
【０００５】
ところで，カニューレ型人工骨は割れやすく，また滅菌製品であることから，生体内に導入される直前まで容器に収納された状態とし，外部からの衝撃や雑菌から保護することが求められる。そこで，本発明は，人工骨を収納容器内に収納して保護した状態のまま，人工骨の貫通孔にガイドワイヤを挿入可能な製品を提供することを目的とする。
【課題を解決するための手段】
【０００６】
本発明の発明者は，従来技術が抱える課題の解決手段について鋭意検討した結果，ガイドワイヤを挿通可能な貫通孔が形成された人工骨と，このガイドワイヤが挿通した状態の人工骨を収納可能で且つ開閉自在の収納容器とをセット製品とすることにより，ガイドワイヤに挿通された人工骨を適切に保護できるという知見を得た。そして，本発明者は，上記知見に基づけば従来技術の課題を解決できることに想到し，本発明を完成させた。具体的に説明すると，本発明は以下の構成を有する。
【０００７】
本発明は，人工骨と収納容器のセット製品に関する。具体的には，本発明は，ガイドワイヤを挿通するための貫通孔を持つカニューレ型人工骨と，ガイドワイヤが挿通した状態の人工骨を収納可能な開閉自在の収納容器とから構成される。このように，収納容器によってガイドワイヤに挿通された状態の人工骨を保護することで，生体内に導入される直前まで人工骨を外部の衝撃や雑菌から保護することができる。特に，好ましい実施形態において，人工骨を収納容器に収納した状態で本セット製品を販売することで，術者が収納容器内に人工骨を収納する操作を省略できる。また，販売流通時から生体内導入直前まで収納容器によって人工骨を適切に保護できる。このように，収納容器によりカニューレ型人工骨の付加価値を高めることができる。
【０００８】
本発明に係るセット製品において，収納容器は，複数の分割体から構成され，各分割体を係合させることにより人工骨の収容空間が形成されるものであることが好ましい。各分割体を展開することにより，本体部の収納空間から人工骨が解放されて，人工骨のみがガイドワイヤの軸線上を摺動するようになる。このため，術者が任意のタイミングで各分割体の係合状態を解除して，人工骨を生体内に導入できるようになる。
【発明の効果】
【０００９】
本発明によれば，カニューレ型人工骨を保護しつつ，ガイドワイヤを用いた手術の効率化を図ることができる。
【図面の簡単な説明】
【００１０】
【図１】図１は，人工骨と収納容器にガイドワイヤを挿通した様子を示す斜視図であり，収納容器を開いた状態を示している。
【図２】図２は，人工骨と収納容器にガイドワイヤを挿通した様子を示す斜視図であり，収納容器を閉じた状態を示している。
【図３】図３は，開いた状態の収納容器の内側を示した斜視図である。
【図４】図４は，開いた状態の収納容器の外側を示した斜視図である。
【図５】図５（ａ）は，人工骨を収納容器内に収納した状態を示す断面図であり，図５（ｂ）は，人工骨を収納した収納容器にガイドワイヤを挿通した状態を示す断面図である。図５（ａ）と図５（ｂ）では，主に制動部（羽根部）の形状変化を図示している。
【発明を実施するための形態】
【００１１】
以下，図面を用いて本発明を実施するための形態について説明する。本発明は，以下に説明する形態に限定されるものではなく，以下の形態から当業者が自明な範囲で適宜変更したものも含む。
【００１２】
図１及び図２は，収納容器１００，人工骨２００，及びガイドワイヤ３００を含む医療システムを示しており，図３及び図４は，収納容器１００のみを示している。特に，図１は，収納容器１００を展開した状態を示し，図２は，収納容器１００を閉じてその内部に人工骨２００を収納した状態を示している。
【００１３】
図１に示されるように，人工骨２００には貫通孔が形成されており，その貫通孔にガイドワイヤ３００が挿通される。人工骨２００は，ガイドワイヤ３００を挿通可能な貫通孔を有するものであれば特に限定されないが，図１に示されるような円筒状であることが好ましい。ただし，人工骨は，その他の筒状（三角筒状，四角筒状，多角筒状）であってもよいし，所定の立体形状に貫通孔が形成されたものであってもよい。また，人工骨２００には貫通孔が一箇所だけでなく，複数箇所形成されていてもよい。
【００１４】
人工骨２００は，公知の生体適合性を有する材料，より具体的には生体骨に対して好適な適合性を示す材料によって形成することができる。人工骨２００の材質は，例えば，セラミックスであれば，リン酸カルシウム化合物のハイドロキシアパタイト又はβ−リン酸三カルシウム（β−ＴＣＰ），あるいは両者の混合物を採用することができる。また，人工骨２００を樹脂で製作する場合は，ＰＥＥＫ（ポリエーテルエーテルケトン）等の生体適合性のある材質を採用することが好ましい。金属であればチタン，チタン合金，またはポーラスチタン部材が好ましい。
【００１５】
ガイドワイヤ３００は，公知のものを用いればよい。例えば，ガイドワイヤ３００は，管状の外シャフトに内シャフトを内挿した二重管構造を持つ。内シャフトと外シャフトは，生体内で湾曲可能な特性を有するものとして公知の材質で形成される。例えば，ガイドワイヤ３００を構成する材料は，ポリアミド，塩化ビニル，ポリウレタン，ポリイミド，ポリエチレン，ポリエステルエラストマー，ポリプロピレン，ポリテトラフルオロエチレン，ポリエーテルエーテルケトン，ポリフッ化ビニリデン等の合成樹脂材料や，ステンレス鋼，ニッケル−チタン合金等の金属材料，あるいはこれらの組み合わせたものを用いればよい。
【００１６】
収納容器１００は，人工骨２００を収納するための容器であり，人工骨２００を内部に収容した状態のまま，人工骨２００の貫通孔にガイドワイヤ３００を挿通することのできる構成を有している。つまり，収納容器１００は，人工骨２００の貫通孔とほぼ同位置にガイドワイヤ３００を差し込むための開口を有する。このため，収納容器１００内に人工骨２００を収納した後，人工骨２００を収納容器１００から取り出さなくてもその貫通孔にガイドワイヤ３００を差し込むことができる。例えば，収納容器１００と人工骨２００をセットにした製品を販売する場合に，人工骨２００は流通時から生体内に導入する直前まで収納容器１００に収納しておくことが可能である。
【００１７】
収納容器１００の材質は特に制限されないが，ポリエチレン，ポリプロピレン，ポリ塩化ビニル，ポリスチレン，ポリ酢酸ビニル，ポリウレタンなどのプラスチック製とすればよい。ただし，収納容器１００は，プラスチック製のものに限らず，例えば金属製やガラス製，カーボン製とすることもできる。
【００１８】
図１から図４に示されるように，収納容器１００は，主に，人工骨２００の収納空間を持つ本体部１０と，この本体部１０がガイドワイヤ３００の軸線上に沿って摺動することを制止するための制動部２０とを備えている。収納容器１００に制動部２０が設けられていない場合，収納容器１００内に収納された人工骨２００にガイドワイヤ３００を挿通させると，収納容器１００と人工骨２００がそれらの自重でガイドワイヤ３００に沿って摺動することになるが，収納容器１００に制動部２０を設けておくことで，人工骨２００が収納容器１００によってガイドワイヤ３００上の任意の位置に固定され，不用意にガイドワイヤ３００の軸線上を移動してしまう事態を防ぐことができる。
【００１９】
収納容器１００の本体部１０の形状は，収納対象となる人工骨２００の形状に合わせて適宜設計すればよい。例えば，図１から図４に示された実施形態では，円筒状の人工骨２００を収納することを想定しているため，本体部１００の収納空間も人工骨２００を収納可能な円柱状に設計されている。
【００２０】
具体的に説明すると，本実施形態において，本体部１０は，第１分割部１１と第２分割部１２に分割されており，これらの分割部１１，１２がヒンジ部１３によって開閉自在に連結されている。第１分割部１１と第２分割部１２をヒンジ部１３を介して閉じることで人工骨２００の収納空間が形成されることになるが，これらの分割部１１，１２を展開することでその収納空間が開放されて人工骨２００を取り出すことができるようになる。また，各分割部１１，１２のそれぞれには，ガイドワイヤ３００の軸線上の前後両端部に切欠き１１ａ，１１ｂ，１２ａ，１２ｂが形成されている。各切欠き１１ａ，１１ｂ，１２ａ，１２ｂは半円形であり，第１分割部１１の切欠き１１ａ，１１ｂと第２分割部１２の切欠き１２ａ，１２ｂを合わせるとガイドワイヤ３００を挿通可能な円形の開口となる。これにより，収納容器１００の本体部１０内に人工骨２００を収納した状態のままで，これらの収納容器１００と人工骨２００とを貫通するようにガイドワイヤ３００を差し込むことができる。
【００２１】
また，本体部１０を構成する第１分割部１１と第２分割部１２には，それぞれ係止片１４，１５が設けられている。図１及び図２に示されるように，第１分割部１１に突設された第１係止片１４の先端部と第２分割部１２に突設された第２係止片１５の先端部とを突き合わせた後，それらの先端部を弾性変形させて，両先端部の位置を入れ替えることで，これらの係止片１４，１５が係合する。これにより，第１分割部１１と第２分割部１２の嵌合状態が維持される。反対に，第１分割部１１と第２分割部１２との嵌合状態を解除する際には，第１係止片１４の先端部と第２係止片１５の先端部とを再び弾性変形させて，両先端部の位置を逆方向に入れ替えればよい。このようにすれば，収納容器１００の本体部１０の開閉操作を片手で行なうことができる。
【００２２】
なお，本実施形態は，収納容器１００の本体部１０は，第１分割部１１と第２分割部１２とに２分割されているが，３分割あるいは４分割以上とされていてもよい。収納容器１００を３分割以上する場合であっても，複数の分割体を嵌合させることで人工骨２００の収納空間が形成されるように構成されていれば問題はない。
【００２３】
収納容器１００の制動部２０は，本体部１０の摺動を制止して，ガイドワイヤ３００上の任意位置に本体部１０を保持する機能を持つ。図１から図５に示した実施形態において，制動部２０は，本体部１０に突設された一対の羽根部２１，２２によって構成されている。各羽根部２１，２２は，ガイドワイヤ３００の外表面に圧接されて，ガイドワイヤを挟み込む。これにより，羽根部２１，２２とガイドワイヤ３００の摩擦係数が大きくなるため，羽根部２１，２２の作用により本体部１０の摺動が制止される。
【００２４】
本実施形態では，ガイドワイヤ３００の軸線方向において，第１分割部１１と第２分割部１２の一端から突出するように，それぞれ第１羽根部２１と第２羽根部２２が設けられている。各羽根部２１，２２は，第１分割部１１と第２分割部１２とをヒンジ部１３を介して閉じたときに，それらの先端部がガイドワイヤ３００の表面に接触する形状に構成されている。また，各羽根部２１，２２の先端部には，ガイドワイヤ３００の周面形状に適合するように半円形状の切欠き２１ａ，２２ａが形成されている。このため，第１分割部１１と第２分割部１２を閉じると，第１羽根部２１の切欠き２１ａと第２羽根部２２の切欠き２２ａにガイドワイヤ３００が嵌まり込み，ガイドワイヤ３００が各羽根部２１，２２に接触することとなる。特に，第１分割部１１と第２分割部１２を閉じた状態において，第１羽根部２１と第２羽根部２２は互いに反対方向からガイドワイヤ３００を押圧する。すなわち，第１羽根部２１と第２羽根部２２によってガイドワイヤ３００を挟み込むこととなる。なお，図示は省略するが，第１分割部１１と第２分割部１２の両端に羽根部を設けることも可能である。
【００２５】
具体的に説明すると，図５には，収納容器１００，人工骨２００，及びガイドワイヤ３００の断面図が模式的に示されている。図５に示されるように，ガイドワイヤ３００の直径をφとし，ガイドワイヤ３００の接触点における各羽根部２１，２２の間隙距離（具体的には切欠き２１ａ，２２ａの最深点間の距離）をＤとすると，各羽根部２１，２２の間隙距離Ｄはガイドワイヤ３００の直径φよりも小さい値に設計される（Ｄ＜φ）。例えば，ガイドワイヤ３００の直径φは２〜５ｍｍであることが一般的である。各羽根部２１，２２の間隙距離Ｄは，この直径φに対して２０〜９０％又は３０〜８０％の値に設定すればよい。このようにすることで，図５（ｂ）示されるように，収納容器１００内にガイドワイヤ３００を差し込むと，各羽根部２１，２２が弾性変形し，その復元力によって各羽根部２１，２２がガイドワイヤ３００の表面に圧接する（なお，図示した例では図中の左側から右側に向かってガイドワイヤ３００が差し込まれている）。これにより，各羽根部２１，２２の先端部とガイドワイヤ３００の表面との摩擦係数が大きくなり，収納容器１００と人工骨２００がそれらの自重によってガイドワイヤ３００の軸線上を摺動することが阻止される。
【００２６】
続いて，上記収納容器１００，人工骨２００，及びガイドワイヤ３００を含む医療システムを用いた手術順序について簡単に説明する。前述のとおり中空形状の人工骨２００は割れやすいものであるため，生体内に導入される直前まで収納容器１００内に収納された状態とし，外部からの不要な衝撃による裂損から保護しておく。まず，患者の皮膚を切開し，切開部位からガイドワイヤ３００の一端を体内に導入して留置する。次に，ガイドワイヤ３００の他端を人工骨２００の貫通孔の位置に合わせて，その貫通孔の内部にガイドワイヤ３００の端部を挿入する。このとき，人工骨２００は収納容器１００に収納されたままの状態であるため，術者は人工骨２００に直接指を触れずに補填作業を行なうことができる。また，収納容器１００には人工骨２００の貫通孔に対応した位置に開口が設けられているため，人工骨２００を収納容器１００に収納した状態のままガイドワイヤ３００を貫通させることができる。また，人工骨２００が収納された収納容器１００がガイドワイヤ３００上を自重で移動しない構造となっているため，術者は手術の進行に合わせてガイドワイヤ３００上の任意の位置に収納容器１００を保持することができる。ガイドワイヤ３００を人工骨２００に貫通させた後，術者が目論む位置で片手作業で収納容器１００の固定機能を解除し，収納容器１００から人工骨２００を離脱させる。すると，人工骨２００のみがガイドワイヤ３００に沿った摺動を開始し，ガイドワイヤ３００に案内されるかたちで切開部位から生体内に導入される。このように，本医療システムによれば，人工骨３００を外部の衝撃や雑菌から保護しつつ，安全に生体内へと導くことができる。
【００２７】
なお，本発明において，収納容器１００の制動部２０は上記した羽根部２１，２２に限定されるものではなく，本体部１０の摺動を制止する機能を果たすものであれば様々な構造を採用し得る。例えば，制動部２０としては，容器本体１０から延出しガイドワイヤ３００に繋止可能な紐状部材や，容器本体１０に突設されガイドワイヤ３００を挟み込むためのクリップ部材，容器本体１０をガイドワイヤ３０に止め付けるための粘着部材（粘着テープ等），容器本体１０とガイドワイヤ３０の隙間に設けられゴムなどの高摩擦材料で形成されたパッキン部材など，様々な態様のものを採用することができる。
【００２８】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００２９】
本発明は，人工骨の収納容器などに関する。従って，本発明は医療産業において好適に利用し得る。
【符号の説明】
【００３０】
１０…本体部                  １１…第１分割体
１１ａ，１１ｂ…切欠き        １２…第２分割体
１２ａ，１２ｂ…切欠き        １３…ヒンジ部
１４…第１係止片              １５…第２係止片
２０…制動部                  ２１…第１羽根部
２１ａ…切欠き                ２２…第２羽根部
２２ａ…切欠き                １００…収納容器
２００…人工骨                ３００…ガイドワイヤ